【事件の表示】
　特願２００６−１６０５５６「情報処理装置および方法、並びにプログラム」拒絶査定不服審判事件〔平成１９年１２月２０日出願公開、特開２００７−３２８６６１〕について、次のとおり審決する。
【結　論】
　本件審判の請求は、成り立たない。
【理　由】
 　  
第１　手続の経緯  
　  
　本願は、平成１８年６月９日の出願であって、平成２３年４月１１日付けの拒絶理由通知に対して同年６月１３日付けで手続補正がなされたが、同年９月１６日付けで拒絶査定がなされ、これに対し、同年１２月２１日付けで拒絶査定不服審判が請求されるとともに手続補正がなされ、平成２４年１０月２２日付けの審尋に対し、回答書が提出されなかったものである。  
　  
　 
第２　平成２３年１２月２１日付けの手続補正についての補正却下の決定  
　 
［補正却下の決定の結論］  
　平成２３年１２月２１日付けの手続補正（以下「本件補正」という。）を却下する。  
　 
［理由］  
　 
１　本件補正  
　 
　本件補正は、特許請求の範囲の記載が、本件補正前に、  
「【請求項１】
　コンテンツの画面への表示を制御する情報処理装置において、
　表示されている前記コンテンツに関係するキーワードを抽出する第１の抽出手段と、
　抽出された前記キーワードの一覧である関連キーワードリストを生成する第１の生成手段と、
　生成された前記関連キーワードリストの画面への表示を制御する表示制御手段と、
　表示されている前記関連キーワードリストのなかから前記キーワードが選択された場合、表示されている前記コンテンツを除いた他のコンテンツであって、選択された前記キーワードを含んでいる前記他のコンテンツを抽出する第２の抽出手段と、
　前記他のコンテンツを並び替えるための所定の条件にしたがって、抽出された前記他のコンテンツを並び替えて、前記他のコンテンツの一覧である関連コンテンツリストを生成する第２の生成手段と
　を備え、
　前記表示制御手段は、生成された前記関連コンテンツリストを、前記関連キーワードリストと対応付けて前記画面に表示させるとともに、前記関連コンテンツリストから前記他のコンテンツが選択された場合、選択された前記他のコンテンツを前記画面に表示させる　情報処理装置。
　　【請求項２】
　前記表示制御手段は、前記関連キーワードリストのなかから前記キーワードが選択された場合、前記関連キーワードリストのうち、選択された前記キーワードを識別可能に表示させるとともに、そのキーワードに対応する前記関連コンテンツリストを表示させる
　請求項１に記載の情報処理装置。
　　【請求項３】
　前記所定の条件は、ユーザの嗜好に関する嗜好情報、または前記ユーザによる前記コンテンツの視聴の履歴に関する視聴履歴から決められ、
　前記第２の生成手段は、前記嗜好情報で示される情報をより多く含んでいる順に前記他のコンテンツを並び替えるか、または前記視聴履歴で示される頻度のより高い順に前記他のコンテンツを並び替えて、前記関連コンテンツリストを生成する
　請求項１に記載の情報処理装置。
　　【請求項４】
　抽出された前記キーワードを記憶する記憶手段をさらに備え、
　前記第１の生成手段は、記憶されている前記キーワードから前記関連キーワードリストを生成する
　請求項１に記載の情報処理装置。
　　【請求項５】
　抽出された前記他のコンテンツを記憶する記憶手段をさらに備え、
　前記第２の生成手段は、記憶されている前記他のコンテンツから前記関連コンテンツリストを生成する
　請求項１に記載の情報処理装置。
　　【請求項６】
　前記キーワードは、放送局があらかじめ付与したメタデータ、ユーザ自身が付与したメタデータ、インターネットを介して取得した前記コンテンツに関する情報、前記コンテンツに対する所定の画像解析処理により生成したメタデータ、前記コンテンツに対する所定のテキスト抽出処理により取得した文字情報、前記コンテンツに対する所定の音声解析処理により生成したメタデータ、またはサムネイルに対する所定の画像解析処理により生成したメタデータから抽出される
　請求項１に記載の情報処理装置。
　　【請求項７】
　前記嗜好情報は、ユーザによって登録された情報、前記関連キーワードリストのなかから選択された前記キーワードの履歴に関する情報、または前記関連コンテンツリストのなかから選択された前記他のコンテンツのキーワードの履歴に関する情報である
　請求項３に記載の情報処理装置。
　　【請求項８】
　前記視聴履歴は、前記コンテンツの、タイトル、キーワード、ジャンル、放送時間帯、または放送局に関する情報を少なくとも含んでいる情報である
　請求項３に記載の情報処理装置。
　　【請求項９】
　コンテンツの画面への表示を制御する情報処理装置の情報処理方法において、
　表示されている前記コンテンツに関係するキーワードを抽出し、
　抽出された前記キーワードの一覧である関連キーワードリストを生成し、
　生成された前記関連キーワードリストの画面への表示を制御し、
　表示されている前記関連キーワードリストのなかから前記キーワードが選択された場合、表示されている前記コンテンツを除いた他のコンテンツであって、選択された前記キーワードを含んでいる前記他のコンテンツを抽出し、
　前記他のコンテンツを並び替えるための所定の条件にしたがって、抽出された前記他のコンテンツを並び替えて、前記他のコンテンツの一覧である関連コンテンツリストを生成し、
　生成された前記関連コンテンツリストを、前記関連キーワードリストと対応付けて前記画面に表示させるとともに、前記関連コンテンツリストから前記他のコンテンツが選択された場合、選択された前記他のコンテンツを前記画面に表示させる
　ステップを含む情報処理方法。
　　【請求項１０】
　コンテンツの画面への表示を制御する情報処理を、コンピュータに行わせるプログラムにおいて、
　表示されている前記コンテンツに関係するキーワードを抽出し、
　抽出された前記キーワードの一覧である関連キーワードリストを生成し、
　生成された前記関連キーワードリストの画面への表示を制御し、
　表示されている前記関連キーワードリストのなかから前記キーワードが選択された場合、表示されている前記コンテンツを除いた他のコンテンツであって、選択された前記キーワードを含んでいる前記他のコンテンツを抽出し、
　前記他のコンテンツを並び替えるための所定の条件にしたがって、抽出された前記他のコンテンツを並び替えて、前記他のコンテンツの一覧である関連コンテンツリストを生成し、
　生成された前記関連コンテンツリストを、前記関連キーワードリストと対応付けて前記画面に表示させるとともに、前記関連コンテンツリストから前記他のコンテンツが選択された場合、選択された前記他のコンテンツを前記画面に表示させる
　ステップを含むプログラム。」  
とあったところを、  
　 
「【請求項１】
　コンテンツの画面への表示を制御する情報処理装置において、
　表示されている前記コンテンツに関係するキーワードを抽出する第１の抽出手段と、
　抽出された前記キーワードの一覧である関連キーワードリストを生成する第１の生成手段と、
　生成された前記関連キーワードリストの画面への表示を制御する表示制御手段と、
　表示されている前記関連キーワードリストのなかから前記キーワードが選択された場合、表示されている前記コンテンツを除いた他のコンテンツであって、選択された前記キーワードを含んでいる前記他のコンテンツを抽出する第２の抽出手段と、
　前記他のコンテンツを並び替えるための所定の条件にしたがって、抽出された前記他のコンテンツを並び替えて、前記他のコンテンツの一覧である関連コンテンツリストを生成する第２の生成手段と
　を備え、
　前記表示制御手段は、生成された前記関連コンテンツリスト
と
選択された前記キーワードを含んでいる
を、選択された前記キーワードにより
　情報処理装置。
　　【請求項２】
　前記表示制御手段は、前記関連キーワードリストのなかから前記キーワードが選択された場合、前記関連キーワードリストのうち、選択された前記キーワードを識別可能に表示させるとともに、そのキーワードに対応する前記関連コンテンツリストを表示させる
　請求項１に記載の情報処理装置。
　　【請求項３】
　前記所定の条件は、ユーザの嗜好に関する嗜好情報、または前記ユーザによる前記コンテンツの視聴の履歴に関する視聴履歴から決められ、
　前記第２の生成手段は、前記嗜好情報で示される情報をより多く含んでいる順に前記他のコンテンツを並び替えるか、または前記視聴履歴で示される頻度のより高い順に前記他のコンテンツを並び替えて、前記関連コンテンツリストを生成する
　請求項１に記載の情報処理装置。
　　【請求項４】
　抽出された前記キーワードを記憶する記憶手段をさらに備え、
　前記第１の生成手段は、記憶されている前記キーワードから前記関連キーワードリストを生成する
　請求項１に記載の情報処理装置。
　　【請求項５】
　抽出された前記他のコンテンツを記憶する記憶手段をさらに備え、
　前記第２の生成手段は、記憶されている前記他のコンテンツから前記関連コンテンツリストを生成する
　請求項１に記載の情報処理装置。
　　【請求項６】
　前記キーワードは、放送局があらかじめ付与したメタデータ、ユーザ自身が付与したメタデータ、インターネットを介して取得した前記コンテンツに関する情報、前記コンテンツに対する所定の画像解析処理により生成したメタデータ、前記コンテンツに対する所定のテキスト抽出処理により取得した文字情報、前記コンテンツに対する所定の音声解析処理により生成したメタデータ、またはサムネイルに対する所定の画像解析処理により生成したメタデータから抽出される
　請求項１に記載の情報処理装置。
　　【請求項７】
　前記嗜好情報は、ユーザによって登録された情報、前記関連キーワードリストのなかから選択された前記キーワードの履歴に関する情報、または前記関連コンテンツリストのなかから選択された前記他のコンテンツのキーワードの履歴に関する情報である
　請求項３に記載の情報処理装置。
　　【請求項８】
　前記視聴履歴は、前記コンテンツの、タイトル、キーワード、ジャンル、放送時間帯、または放送局に関する情報を少なくとも含んでいる情報である
　請求項３に記載の情報処理装置。
　　【請求項９】
　コンテンツの画面への表示を制御する情報処理装置の情報処理方法において、
　表示されている前記コンテンツに関係するキーワードを抽出し、
　抽出された前記キーワードの一覧である関連キーワードリストを生成し、
　生成された前記関連キーワードリストの画面への表示を制御し、
　表示されている前記関連キーワードリストのなかから前記キーワードが選択された場合、表示されている前記コンテンツを除いた他のコンテンツであって、選択された前記キーワードを含んでいる前記他のコンテンツを抽出し、
　前記他のコンテンツを並び替えるための所定の条件にしたがって、抽出された前記他のコンテンツを並び替えて、前記他のコンテンツの一覧である関連コンテンツリストを生成し、
　生成された前記関連コンテンツリスト
と
選択された前記キーワードを含んでいる
を、選択された前記キーワードにより
　ステップを含む情報処理方法。
　　【請求項１０】
　コンテンツの画面への表示を制御する情報処理を、コンピュータに行わせるプログラムにおいて、
　表示されている前記コンテンツに関係するキーワードを抽出し、
　抽出された前記キーワードの一覧である関連キーワードリストを生成し、
　生成された前記関連キーワードリストの画面への表示を制御し、
　表示されている前記関連キーワードリストのなかから前記キーワードが選択された場合、表示されている前記コンテンツを除いた他のコンテンツであって、選択された前記キーワードを含んでいる前記他のコンテンツを抽出し、
　前記他のコンテンツを並び替えるための所定の条件にしたがって、抽出された前記他のコンテンツを並び替えて、前記他のコンテンツの一覧である関連コンテンツリストを生成し、
　生成された前記関連コンテンツリスト
と
選択された前記キーワードを含んでいる
を、選択された前記キーワードにより
　ステップを含むプログラム。」  
とする補正を含むものである。  
　 
　そこで本件補正について検討するに、  
　 
　本件補正後の請求項１、９、１０は、補正前の「生成された前記関連コンテンツリストを、前記関連キーワードリストと対応付けて前記画面に表示させる」との特定事項を、「生成された前記関連コンテンツリスト
と
選択された前記キーワードを含んでいる
を、選択された前記キーワードにより
　 
　よって、本件補正は、補正前の請求項に記載された発明を特定するために必要な事項を限定するものであるから、平成１８年法律第５５号改正附則第３条第１項によりなお従前の例によるとされる同法による改正前の特許法（以下「平成１８年改正前の特許法」という。）第１７条の２第４項第２号に掲げる特許請求の範囲の減縮を目的とするものに該当する。  
　 
　そこで、本件補正後における特許請求の範囲に記載されている事項により特定される請求項９に係る発明（以下「本願補正発明」という。）が特許出願の際独立して特許を受けることができるものであるか（平成１８年改正前の特許法第１７条の２第５項において準用する同法第１２６条第５項に規定する要件を満たすか）について以下に検討する。  
　 
　本願補正発明は、再掲すれば、次に記載するとおりのものである。  
　 
「コンテンツの画面への表示を制御する情報処理装置の情報処理方法において、
　表示されている前記コンテンツに関係するキーワードを抽出し、
　抽出された前記キーワードの一覧である関連キーワードリストを生成し、
　生成された前記関連キーワードリストの画面への表示を制御し、
　表示されている前記関連キーワードリストのなかから前記キーワードが選択された場合、表示されている前記コンテンツを除いた他のコンテンツであって、選択された前記キーワードを含んでいる前記他のコンテンツを抽出し、
　前記他のコンテンツを並び替えるための所定の条件にしたがって、抽出された前記他のコンテンツを並び替えて、前記他のコンテンツの一覧である関連コンテンツリストを生成し、
　生成された前記関連コンテンツリストと、選択された前記キーワードを含んでいる前記関連キーワードリストとを、選択された前記キーワードにより対応付けて前記画面に表示させるとともに、前記関連コンテンツリストから前記他のコンテンツが選択された場合、選択された前記他のコンテンツを前記画面に表示させる
　ステップを含む情報処理方法。」 
　 
　 
２　引用例、周知例及びその記載事項  
　 
（１）原査定の拒絶の理由に引用された、本願の出願の日前に頒布された刊行物である特開２００５−１１５７９０号公報（平成１７年４月２８日公開、以下「引用例」という。）には、図面とともに以下の事項が記載されている（なお、下線は当審で付した。）。　 
　 
（ａ）「【０００１】
  
本発明は、
情報を検索する情報検索方法
に関し、特にテレビジョン受像機のように放送番組などのコンテンツを表示する装置に適用して好適な技術に関する。
　 
（ｂ）「【００１９】
  図２は、本例の装置をテレビジョン受像機として構成した場合の例を示した図である。この例では、
図２に示すように、テレビジョン受像機１０の表示部１８が有する表示画面に、テレビジョン放送番組の映像表示１７ａを行うと共に、その表示された番組に基づいて抽出されたキーワードの一覧表示１７ｃを、
表示させてある。また、キーワードの一覧表示１７ｃの中から選択されたキーワードに基づいて検索されたウェブページの表示１７ｂを、
行うようにしてある。
　
（ｃ）「【００２１】
 
 図３は、本例の装置をパーソナルコンピュータ装置として構成した場合の例を示した図である。
この例では、ディスプレイ装置３１の画面３１ａに、
図２に示したテレビジョン受像機１０の画面と同様の表示を行っても良い。
　【００２２】
  なお、図２，図３に示したテレビジョン受像機，パーソナルコンピュータ装置以外の表示機能を備えた電子機器で、同様の表示を行うための処理を行っても良い。例えば、ＰＤＡ（Personal Digital Assistants ），携帯電話端末などの携帯型の電子機器として構成しても良い。」
　
（ｄ）「【００２６】
  キーワードの抽出処理としては、例えば図７に示すように、ウェブブラウザ，メディア再生，メール機能などのこの装置で扱う機能の過去の操作履歴により、この機器を使用するユーザの好みを分析して、そこから文章解析手法や、統計的な手法を使って、キーワードを抽出することができる。そして、その抽出されたキーワードを、例えばインターネット上に用意されたウェブページ検索用のエンジンに、検索用のキーワードとして送って、その結果得られた候補となるウェブページの中から、表示するのに適したウェブページを探し出して、表示させる。
【００２７】
  より具体的な判別エンジンでのキーワードの判別と、その判別された
キーワードに基づいたウェブページの検索処理例を
示す
嗜好抽出用訓練用データとして、
キーワードの集まりを得る処理２３０を行う。得られたキーワードの集まりからは、嗜好ベクトルを抽出する処理２４０を行う。
【００２８】
  また、
ウェブページを推奨するためのリコメンド候補データとして、
嗜好ベクトルとのマッチング計算処理２７０を行い、類似度の高いものが表示するためのウェブページとして抽出される処理２８０が行われる。
　
（ｅ）「【００３０】
  次に、このようにして行われる検索処理を利用して、テレビジョン受像機で受信又は再生させた番組についてのキーワードを抽出して、その抽出されたキーワードに基づいてコンテンツの表示などを行う具体的な処理例について説明する。ここでは、図２に示したように、テレビジョン受像機１０の表示画面に、テレビジョン放送番組の映像表示１７ａを行うと共に、その表示された番組に基づいて抽出されたキーワードの一覧表示１７ｃを、その番組の表示の一部に重ねて表示させ、その一覧表示１７ｃの中から選択されたキーワードに基づいて検索されたウェブページの表示１７ｂを行う例としてある。
【００３１】
  図９のフローチャートに従って処理の流れを説明すると、ＣＰＵ１１は、キーワード表示モードが選択されているか否か判断し（ステップＳ１１）、キーワード表示モードが選択された場合の次の処理に移る。キーワード表示モードが選択された場合には、キーワード窓を画面中に表示させる（ステップＳ１２）。このキーワード窓は、図２の表示例での一覧表示１７ｃに相当し、ここではユーザの嗜好などに基づいて放送中の番組のデータから
複数のキーワード（図２の例では５つのキーワード）を抽出して、その複数のキーワードの一覧を表示させる。
【００３２】
  そして、
その表示された複数のキーワードの中から、ユーザの操作で特定の１つのキーワードが選択されたか否か判断し（ステップＳ１３）、選択された場合に、その選択されたキーワードを
検索エンジンに送って、インターネット上のウェブページのように、その検索エンジンで検索できる形態のコンテンツの中から、キーワードに対応したものを検索させて、その結果をコンテンツ窓として表示させる（ステップＳ１４）。コンテンツ窓として、コンテンツの一覧を表示させた場合には、その中から選択されたか否か判断し（ステップＳ１５）、選択された場合には、その選ばれたコンテンツを表示させる処理を実行させる（ステップＳ１６）。
　
（ｆ）図８には、複数のウェブページ（おすすめ２８０）が抽出されることが示されている。
　
　
ア
（ア）上記（ａ）の「【０００１】本発明は、‥‥‥情報を検索する情報検索方法‥‥‥に関し、特にテレビジョン受像機のように放送番組などのコンテンツを表示する装置に適用して好適な技術に関する。」との記載から、引用例に記載のものは、「コンテンツを表示する装置の情報検索方法」であるということができる。
（イ）そして、上記（ｂ）の「【００１９】‥‥‥図２に示すように、テレビジョン受像機１０の表示部１８が有する表示画面に、テレビジョン放送番組の映像表示１７ａを行う」との記載、及び上記（ｃ）の「【００２１】 図３は、本例の装置をパーソナルコンピュータ装置として構成した場合の例を示した図である。‥‥‥この例では、ディスプレイ装置３１の画面３１ａに、‥‥‥図２に示したテレビジョン受像機１０の画面と同様の表示を行っても良い。」との記載から、テレビジョン放送番組の映像表示を行うテレビジョン受像機、及び、ディスプレイ装置の画面に、テレビジョン受像機の画面と同様の表示を行うパーソナルコンピュータ装置が例示されており、共に、画面にコンテンツを表示する処理装置と捉えることができる（以下、「番組」を「コンテンツ」と、また、「テレビジョン受像機」及び「パーソナルコンピュータ装置」を、「画面にコンテンツの表示を行う処理装置」と置き換えて捉えることとする。）。
（ウ）したがって、上記（ア）、上記（イ）から、引用例には「画面にコンテンツの表示を行う処理装置の情報検索方法」が記載されているということができる。
　 
イ　上記（ｂ）の「【００１９】‥‥‥図２に示すように、テレビジョン受像機１０の表示部１８が有する表示画面に、テレビジョン放送番組の映像表示１７ａを行うと共に、その表示された番組に基づいて抽出されたキーワードの一覧表示１７ｃを、‥‥‥表示させてある。‥‥‥」との記載から、「コンテンツ（番組）の表示を行い、その表示されたコンテンツ（番組）に基づいてキーワードを抽出し、抽出されたキーワードの一覧表示１７ｃを表示する」ことが記載されている。
　ここで、上記（ｅ）の「【００３１】‥‥‥複数のキーワード（図２の例では５つのキーワード）を抽出して、その複数のキーワードの一覧を表示させる。」との記載から、抽出されるキーワードは複数であって、複数のキーワードが一覧表示として表示されることから、引用例には、「コンテンツの表示を行い、その表示されたコンテンツに基づいて、複数のキーワードを抽出し、抽出された複数のキーワードを、一覧表示として表示させる」ことが記載されているということができる。
　 
ウ　
（ア）上記（ｅ）の「【００３２】‥‥‥その表示された複数のキーワードの中から、ユーザの操作で特定の１つのキーワードが選択されたか否か判断し（ステップＳ１３）、選択された場合に、その選択されたキーワードを‥‥‥検索エンジンに送って、インターネット上のウェブページのように、その検索エンジンで検索できる形態のコンテンツの中から、キーワードに対応したものを検索させて、その結果をコンテンツ窓として表示させる（ステップＳ１４）。コンテンツ窓として、コンテンツの一覧を表示させた場合‥‥‥」との記載、上記（ｂ）の 「【００１９】‥‥‥また、キーワードの一覧表示１７ｃの中から選択されたキーワードに基づいて検索されたウェブページの表示１７ｂを、‥‥‥行うようにしてある。‥‥‥」との記載から、ユーザの操作で選択される特定の１つのキーワードは、キーワードの一覧表示１７ｃの中から選択されるということができ、また、キーワードに対応したコンテンツの検索結果は、コンテンツの一覧として表示されること、及び、ウェブページはコンテンツと捉えられることから、引用例には、「そのキーワードの一覧表示の中から特定の１つのキーワードを選択し、選択されたキーワードに対応したコンテンツ（ウェブページ）を検索し、その結果をコンテンツの一覧として表示させる」ものであるということができる。
（イ）ここで、「選択されたキーワードに対応したコンテンツ（ウェブページ）を検索」するにあたり、上記（ｄ）の「【００２７】‥‥‥キーワードに基づいたウェブページの検索処理例を図８に示すと、例えば、嗜好抽出用訓練用データとして、‥‥‥キーワードの集まりを得る処理２３０を行う。得られたキーワードの集まりからは、嗜好ベクトルを抽出する処理２４０を行う。【００２８】‥‥‥ウェブページを推奨するためのリコメンド候補データとして、‥‥‥嗜好ベクトルとのマッチング計算処理２７０を行い、類似度の高いものが表示するためのウェブページとして抽出される処理２８０が行われる。」との記載、及び図８には複数のウェブページが抽出されることが示されている（上記（ｆ））ことから、マッチング計算処理による類似度、すなわち、所定の条件による類似度、にしたがって、類似度の高いウェブページが、複数抽出されるものということができるから、引用例には「所定の条件の類似度にしたがって、類似度の高い、複数のコンテンツ（ウェブページ）を抽出」しているということができる。
（ウ）したがって、上記（Ａ）、上記（Ｂ）から、引用例には、「そのキーワードの一覧表示の中から特定の１つのキーワードを選択し、選択されたキーワードに対応したコンテンツの中から、所定の条件の類似度にしたがって、類似度の高い、複数のコンテンツを抽出し、その結果をコンテンツの一覧として表示させる」ことが記載されているということができる。
　
エ　上記（ｅ）の「【００３２】‥‥‥その表示された複数のキーワードの中から、ユーザの操作で特定の１つのキーワードが選択されたか否か判断し（ステップＳ１３）、選択された場合に、その選択されたキーワード‥‥‥に対応したものを検索させて、その結果をコンテンツ窓として表示させる（ステップＳ１４）。コンテンツ窓として、コンテンツの一覧を表示させた場合には、その中から選択されたか否か判断し（ステップＳ１５）、選択された場合には、その選ばれたコンテンツを表示させる処理を実行させる（ステップＳ１６）。」 との記載から、表示されたコンテンツの一覧の中から、コンテンツを選択し、その選択されたコンテンツを表示するものということができるから、引用例には、「表示されたコンテンツの一覧から、コンテンツを選択し、選択されたコンテンツを表示させる」ことが記載されているということができる。
　 
　 
　上記引用例に記載された事項、図面の記載、及び上記アないしエを総合すると、引用例には、次の発明が記載されている（以下「引用発明」という。）。  
　 
「画面にコンテンツの表示を行う処理装置の情報検索方法であって、
　コンテンツの表示を行い、その表示されたコンテンツに基づいて、複数のキーワードを抽出し、
　抽出された複数のキーワードを、一覧表示として表示させ、
　そのキーワードの一覧表示の中から特定の１つのキーワードを選択し、
　選択されたキーワードに対応したコンテンツの中から、所定の条件の類似度にしたがって、類似度の高い、複数のコンテンツを抽出し、その結果をコンテンツの一覧として表示させ、
　表示されたコンテンツの一覧から、コンテンツを選択し、選択されたコンテンツを表示させる
　情報検索方法。」 
　 
（２）原査定の拒絶の理由に引用され、本願の出願の日前に頒布された刊行物である特開２００４−３１８４０１号公報（平成１６年１１月１１日公開、以下「周知例１」という。）には、図面とともに以下の事項が記載されている（なお、下線は当審で付した。）。　
「【０００１】
【発明の属する技術分野】
本発明は、利用者の指示した対象に係るデジタル情報コンテンツを、ネットワークを介して提供する技術に関する。」
　
「【００４４】
コンテンツ情報提供手段１５は、関連コンテンツ情報検索手段１３から、逐次入力されるコンテンツ情報をコンテンツ情報提供手段１５が具備する利用者端末装置２０への送信キュー（図示省略）の先頭より保持していく。この際、
関連コンテンツ情報検索手段１３から同一のコンテンツ情報が重複して入力された場合には、該重複したコンテンツ情報は除く。
　 
　上記の記載から、周知例１には、「検索されたコンテンツの重複を排除する技術」が記載されているということができる。
　
（３）平成２４年１０月２２日付けの審尋において援用した平成２４年３月５日付けの前置報告書で引用し、本願の出願の日前に頒布された刊行物である特開２００５−１４９３４６号公報（平成１７年６月９日公開、以下「周知例２」という。）には、図面とともに以下の事項が記載されている（なお、下線は当審で付した。）。　
　
「【００４５】
  上記の
キーワードの
文字列
は、
クリッカブルに表示されており、ユーザがマウスポインタを特定のキーワードに近づけてクリックすると、図１１に示すように、描画処理部24によって別ウィンドウ56が開かれ、当該キーワードに関連付けられた特許文献の出願番号及び出願人名がリスト表示される。
  さらに、このリストの中の特定文献をユーザがクリックすると、描画処理部24によって他のウィンドウ58が開かれ、表示データ蓄積部32内に格納された当該文献の抄録データが表示される。」
　
　図１１には、複数のキーワードが表示され、ユーザがクリックしたキーワードを起点とする吹き出しの中にキーワードに関連付けられたリストが表示される点が示されている。
　
　上記の記載から、周知例２には、「表示された複数のキーワードから、特定のキーワードを選択すると、前記特定のキーワードを起点とする吹き出しの中にキーワードに関連付けられたリストが表示されることにより、複数の表示されたキーワードと、前記リストとを選択したキーワードにより対応付ける技術」が記載されているということができる。
　
　
３　対比  
　 
　本願補正発明と引用発明とを対比する。  
　 
（１）コンテンツの表示を行うにあたり表示を制御を行うことは常套手段であり、また、引用発明は「画面にコンテンツの表示を行う処理装置の情報検索方法」であって、情報検索を行う処理装置は、情報処理装置と捉えることができるから、引用発明の「画面にコンテンツの表示を行う処理装置」は、本願補正発明の「コンテンツの画面への表示を制御する情報処理装置」に相当する。
　 
（２） 引用発明の「コンテンツの表示を行い、その表示されたコンテンツに基づいて、複数のキーワードを抽出」することは、本願補正発明の「表示されている前記コンテンツに関係するキーワードを抽出」することに相当する。
　 
（３） 引用発明の「抽出された複数のキーワードを、一覧表示として表示させ」ることにおいて、一覧すなわちリストを生成し、生成されたリストを画面に表示するよう制御することは常套手段であるから、引用発明の「抽出された複数のキーワードの一覧表示を表示させ」ることは、本願補正発明の「抽出された前記キーワードの一覧である関連キーワードリストを生成し、生成された前記関連キーワードリストの画面への表示を制御」することと捉えることができる。
　 
（４）引用発明の「そのキーワードの一覧表示の中から特定の１つのキーワードを選択」することは、本願補正発明の「表示されている前記関連キーワードリストのなかから前記キーワードが選択された場合」に相当する。
　 
（５）引用発明の「選択されたキーワードに対応したコンテンツの中から、」「複数のコンテンツを抽出」することにおいて、「キーワードを含むコンテンツ」も「キーワードに対応したコンテンツ」ということができるから、引用発明の「選択されたキーワードに対応したコンテンツの中から、」「複数のコンテンツを抽出」することは、本願補正発明と「コンテンツであって、選択された前記キーワードを含んでいるコンテンツを抽出」する点で共通する。
　 
（６）引用発明の「所定の条件の類似度にしたがって、類似度の高い、複数のコンテンツを抽出し、その結果をコンテンツの一覧として表示させ」ることと、本願補正発明の「コンテンツを並び替えるための所定の条件にしたがって、抽出された前記他のコンテンツを並び替えて、前記他のコンテンツの一覧である関連コンテンツリストを生成」することとは、ともに、コンテンツを所定の条件にしたがって、表示するコンテンツの一覧を生成するものであり、また、引用発明の「コンテンツの一覧」は、本願補正発明の「コンテンツの一覧である関連コンテンツリスト」に相当するから、本願補正発明と引用発明とは、「コンテンツを所定の条件にしたがって、コンテンツの一覧である関連コンテンツリストを生成」する点で共通する。
　
（７）引用発明の「表示されたコンテンツの一覧から、コンテンツを選択し、選択されたコンテンツを表示する」ことは、本願補正発明の「前記関連コンテンツリストからコンテンツが選択された場合、選択されたコンテンツを前記画面に表示させる」点で共通する。
　
（８）引用発明の「複数のキーワードを抽出」する処理、「一覧表示として表示させ」る処理、「特定の１つのキーワードを選択」する処理、「複数のコンテンツを抽出し、その結果をコンテンツの一覧として表示させ」る処理、「選択されたコンテンツを表示させる」処理は、一連の時系列的な情報処理と捉えることができるから、引用発明の「情報検索方法」は、このような情報処理を行う「情報処理方法」、及び、このような情報処理の「ステップを含む情報処理方法」と捉えることができる。
　
　
　すると、本願補正発明と引用発明とは、次の＜一致点＞及び＜相違点＞を有する。  
　 
＜一致点＞  
「コンテンツの画面への表示を制御する情報処理装置の情報処理方法において、
　表示されている前記コンテンツに関係するキーワードを抽出し、
　抽出された前記キーワードの一覧である関連キーワードリストを生成し、
　生成された前記関連キーワードリストの画面への表示を制御し、
　表示されている前記関連キーワードリストのなかから前記キーワードが選択された場合、コンテンツであって、選択された前記キーワードを含んでいるコンテンツを抽出し、
　コンテンツを所定の条件にしたがって、コンテンツの一覧である関連コンテンツリストを生成し、
　前記関連コンテンツリストからコンテンツが選択された場合、選択されたコンテンツを前記画面に表示させる
　ステップを含む情報処理方法。」 
　 
　 
＜相違点＞  
　 
（ア）本願補正発明の「他のコンテンツ」及び「前記他のコンテンツ」は、「表示されている前記コンテンツを除いた他のコンテンツ」であるのに対し、引用発明は、「表示されている前記コンテンツを除いた他のコンテンツ」との特定がない点。
　 
（イ）コンテンツの一覧である関連コンテンツリストの生成にあたり、本願補正発明は、「並び替えるための」所定の条件にしたがって、「抽出された前記他のコンテンツを並び替えて」いるのに対し、引用発明は、このような並び替えについて特定がない点。
　 
（ウ）本願補正発明は、「生成された前記関連コンテンツリストと、選択された前記キーワードを含んでいる前記関連キーワードリストとを、選択された前記キーワードにより対応付けて前記画面に表示させる」のに対し、引用発明は、このように対応付けて前記画面に表示させることについて特定がない点。
　 
　 
４　判断  
　 
＜相違点＞（ア）について  
　引用発明において、「複数のキーワードを抽出」する「コンテンツ」は、すでに表示されているものであって、「選択されたキーワードに対応したコンテンツの中から、」「複数のコンテンツを抽出し、その結果をコンテンツの一覧として表示させ」るコンテンツとするものではないことは明らかであり、また、例えば、周知例１には、検索にあたり、検索されたコンテンツの重複を排除することが記載されているから、表示されたコンテンツとの重複を排除して、本願発明のように「表示されている前記コンテンツを除いた他のコンテンツ」のようにすることは、当業者が適宜なし得る事項である。
　 
　よって、本願補正発明の上記＜相違点＞（ア）に係る構成のようにすることは格別なことではない。
　
＜相違点＞（イ）について　 
　引用発明は、「選択されたキーワードに対応したコンテンツの中から、所定の条件の類似度にしたがって、類似度の高い、複数のコンテンツを抽出し、その結果をコンテンツの一覧として表示」するものであり、また、一般に、検索において、検索結果を類似度の高いものから表示することは慣用手段であるから、引用発明において、コンテンツの一覧を表示するにあたり、引用発明の類似度を用いて、類似度の高い順にコンテンツを並び替えてコンテンツの一覧に表示することは、当業者が適宜なし得る事項である。
　 
　よって、本願補正発明の上記＜相違点＞（イ）に係る構成のようにすることは格別なことではない。
　
＜相違点＞（ウ）について　　
　引用発明は、「抽出された複数のキーワードを、一覧表示として表示させ、そのキーワードの一覧表示の中から特定の１つのキーワードを選択し」、「選択されたキーワードに対応したコンテンツ」を「コンテンツの一覧として表示させ」るものである。
　そして、例えば、周知例２には、「表示された複数のキーワードから、特定のキーワードを選択すると、前記特定のキーワードを起点とする吹き出しの中にキーワードに関連付けられたリストが表示されることにより、複数の表示されたキーワードと、前記リストとを選択したキーワードにより対応付ける技術」が記載されており、引用発明において、前記周知例２に記載された技術を用いて、「キーワードの一覧表示」と、「選択されたキーワードに対応したコンテンツ」「の一覧として表示」されたものを、キーワードの一覧表示の中から選択した特定の１つのキーワードにより対応付けて表示させることに格別の困難性を有しない。
　
　よって、本願補正発明の上記＜相違点＞（ウ）に係る構成のようにすることは格別なことではない。
　
　
　そして、上記相違点を総合的に判断しても、本願補正発明が奏する効果は引用発明及び周知技術から当業者が十分に予測できたものであって格別なものとはいえない。  
　 
　したがって、本願補正発明は、引用発明及び周知技術に基づいて当業者が容易に発明をすることができたものであるから、特許法第２９条第２項の規定により特許出願の際独立して特許を受けることができない。  
　 
　 
５　本件補正についてのむすび  
　 
　以上のとおり、本件補正は、平成１８年改正前の特許法第１７条の２第５項で準用する同法第１２６条第５項の規定に違反するので、同法第１５９条第１項の規定において読み替えて準用する同法第５３条第１項の規定により却下すべきものである。  
　 
　 
第３　本願発明について  
　 
１　本願発明  
　 
　平成２３年１２月２１日付けの手続補正は上記のとおり却下されたので、本願の請求項に係る発明は、平成２３年６月１３日付けの手続補正で補正された特許請求の範囲の請求項１ないし１０に記載された事項により特定されるものであるところ、請求項９に係る発明（以下「本願発明」という。）は、上記「第２［理由］１　」の本件補正前の「請求項９」として記載したとおりのものである。  
　 
　 
２　引用例、周知例  
　 
　原査定の拒絶の理由で引用された引用例、周知例及びその記載事項は、上記「第２［理由］　２　引用例、周知例及びその記載事項」に記載したとおりである。  
　 
３　対比・判断  
　 
　本願発明は、上記「第２」で検討した本願補正発明の特定事項である「生成された前記関連コンテンツリストと、選択された前記キーワードを含んでいる前記関連キーワードリストとを、選択された前記キーワードにより対応付けて前記画面に表示させる」から、「選択された前記キーワードを含んでいる」との限定、「選択された前記キーワードにより」との限定を削除して、「生成された前記関連コンテンツリストを、前記関連キーワードリストと対応付けて前記画面に表示させる」としたものである。  
　 
　そうすると、本願発明の特定事項を全て含み、更に他の特定事項を付加したものに相当する本願補正発明が前記「第２　［理由］　４　判断」に示したとおり、引用発明及び周知技術に基づいて、当業者が容易に発明をすることができたものであるから、本願発明も、同様の理由により、引用発明及び周知技術に基づいて当業者が容易に発明をすることができたものである。  
　 
４　むすび  
　 
　以上のとおり、本願発明は、特許法第２９条第２項の規定により特許を受けることができないものであるから、その余の請求項に論及するまでもなく、本願は拒絶すべきものである。